(57)【要約】    【課題】  外部から内部に収容した立体物を目視できるように構成した台紙又はこれを利用した書籍の表紙において、内部に収容した立体物を外部から見るものに対して立体感を感じさせるようにすること。    【解決手段】  本発明では、書籍の表紙としても利用できる台紙に係る発明であり、対応する位置に貫通孔をそれぞれ形成した表側シートと裏側シートで可撓性を有する透明状の中間シートを挟持するとともに、前記裏側シートの貫通孔にカバーシートを覆設したものである。【選択図】      図１
2006051630.tif 000002
【特許請求の範囲】
【請求項１】
対応する位置に貫通孔をそれぞれ形成した表側シートと裏側シートで可撓性を有する透明状の中間シートを挟持するとともに、前記裏側シートの貫通孔にカバーシートを覆設したことを特徴とする台紙。
【請求項２】
前記裏側シートの厚みは、前記表側シートの厚みよりも厚くしたことを特徴とする請求項１に記載の台紙。
【請求項３】
前記カバーシートは、前記裏側シートに着脱自在に設けたことを特徴とする請求項１又は請求項２に記載の台紙。
【請求項４】
前記中間シートは、前記表側シート及び前記裏側シートと同一サイズとして、前記表側シート及び前記裏側シートの全面に貼着したことを特徴とする請求項１〜請求項３のいずれかに記載の台紙。
【請求項５】
書籍の表紙であって、
対応する位置に貫通孔をそれぞれ形成した表側シートと裏側シートで可撓性を有する透明状の中間シートを挟持するとともに、前記裏側シートの貫通孔にカバーシートを覆設したことを特徴とする書籍の表紙。
【発明の詳細な説明】
【技術分野】
【０００１】
本発明は、台紙並びに書籍の表紙に関するものである。
【背景技術】
【０００２】
従来より、記念用として或いは保管用として、書籍の中に物品を収容するとともに、その物品を書籍の外部から目視できるようにした書籍が知られている。
【０００３】
この外部から内部に収容した物品を見ることができる書籍の構造としては、書籍の表紙に続くページに物品を収容する凹部を形成するとともに、表紙の所要位置に貫通孔を形成して、凹部に収容した物品を表紙の貫通孔を通して外部から目視できるようにしたものがあった（たとえば、特許文献１参照。）。
【特許文献１】特開２０００−１５８８４５号公報
【発明の開示】
【発明が解決しようとする課題】
【０００４】
ところが、上記従来の書籍にあっては、表紙に続くページに凹部を形成し、その凹部に物品を収容していたために、書籍の厚みが厚くなるばかりでなく、外部から物品を見ても、その物品が平面的にしか見ることができず、物品が有する立体感を感じさせることができなかった。
【０００５】
また、表紙に貫通孔を形成しただけであったために、書籍の内部に収容した物品の一部表面が露出した状態となっており、物品の表面が損傷してしまうおそれもあった。
【課題を解決するための手段】
【０００６】
そこで、請求項１に係る本発明では、対応する位置に貫通孔をそれぞれ形成した表側シートと裏側シートで可撓性を有する透明状の中間シートを挟持するとともに、前記裏側シートの貫通孔にカバーシートを覆設したことを特徴とする台紙を提供するものである。
【０００７】
また、請求項２に係る本発明では、前記請求項１に係る本発明において、前記裏側シートの厚みは、前記表側シートの厚みよりも厚くすることにした。
【０００８】
また、請求項３に係る本発明では、前記請求項１又は請求項２に係る本発明において、前記カバーシートは、前記裏側シートに着脱自在に設けることにした。
【０００９】
また、請求項４に係る本発明では、前記請求項１〜請求項３のいずれかに係る本発明において、前記中間シートは、前記表側シート及び前記裏側シートと同一サイズとして、前記表側シート及び前記裏側シートの全面に貼着することにした。
【００１０】
また、請求項５に係る本発明では、書籍の表紙であって、対応する位置に貫通孔をそれぞれ形成した表側シートと裏側シートで可撓性を有する透明状の中間シートを挟持するとともに、前記裏側シートの貫通孔にカバーシートを覆設したことを特徴とする書籍の表紙を提供するものである。
【発明の効果】
【００１１】
そして、本発明では、以下に記載する効果を奏する。
【００１２】
すなわち、請求項１に係る本発明では、対応する位置に貫通孔をそれぞれ形成した表側シートと裏側シートで可撓性を有する透明状の中間シートを挟持するとともに、前記裏側シートの貫通孔にカバーシートを覆設しているために、中間シートとカバーシートとの間に立体物を収容することができ、外部から内部の立体物を目視する者に立体感を感じさせることができるとともに、立体物の表面の損傷を防止することができる。
【００１３】
また、請求項２に係る本発明では、裏側シートの厚みを表側シートの厚みよりも厚くしているために、中間シートとカバーシートとの間に立体物を収容したときに表側シートの表面からの突出量を少なくすることができる。
【００１４】
また、請求項３に係る本発明では、カバーシートを裏側シートに着脱自在に設けているために、収容した立体物を容易に交換することができる。
【００１５】
また、請求項４に係る本発明では、中間シートを表側シート及び裏側シートと同一サイズとして表側シート及び裏側シートの全面に貼着することにしているために、表側シートと裏側シートとで中間シートを強固に保持することができる。
【００１６】
また、請求項５に係る本発明では、書籍の表紙であって、対応する位置に貫通孔をそれぞれ形成した表側シートと裏側シートで可撓性を有する透明状の中間シートを挟持するとともに、前記裏側シートの貫通孔にカバーシートを覆設しているために、中間シートとカバーシートとの間に立体物を収容することができ、外部から内部の立体物を目視する者に立体感を感じさせることができるとともに、立体物の表面の損傷を防止することができる。
【発明を実施するための最良の形態】
【００１７】
本発明に係る台紙は、内部に立体状の物品を外部から目視できるように収容したものであり、対応する位置に貫通孔をそれぞれ形成した表側シートと裏側シートで可撓性を有する透明状の中間シートを挟持するとともに、裏側シートの貫通孔にカバーシートを着脱自在に覆設した構造にしている。
【００１８】
また、台紙は、裏側シートの厚みを表側シートの厚みよりも厚くし、中間シートを表側シート及び裏側シートと同一サイズにして表側シート及び裏側シートの全面に貼着している。
【００１９】
この台紙は、外部から目視できる状態で中間シートとカバーシートとの間に立体物を収容することができるものであり、書籍の表紙としても利用することもできる。
【００２０】
そして、本発明に係る台紙又は書籍の表紙では、透明状の中間シートが可撓性を有しているために、中間シートとカバーシートとの間に収容した立体物の形状に沿って中間シートが変形し、立体物とともに中間シートが前方に突出することになり、これによって、外部から内部の立体物を目視する者に対して立体感を感じさせることができる。
【００２１】
また、中間シートで立体物の表面を被覆しているために、立体物の表面の損傷を防止することができる。
【００２２】
特に、裏側シートの厚みを表側シートの厚みよりも厚くした場合には、中間シートとカバーシートとの間に立体物を収容したときに表側シートの表面からの突出量を少なくすることができる。
【００２３】
また、カバーシートを裏側シートに着脱自在に設けた場合には、収容した立体物を容易に交換することができる。
【００２４】
また、中間シートを表側シート及び裏側シートと同一サイズとして表側シート及び裏側シートの全面に貼着した場合には、表側シートと裏側シートとで中間シートを強固に保持することができ、中間シートが表側シートや裏側シートから剥離してしまうのを防止することができる。
【００２５】
以下に、本発明に係る台紙を書籍の表紙として利用した場合の具体的な構造について図面を参照しながら説明する。
【００２６】
図１に示す書籍１は、一般的な本と同様に、表紙２と裏表紙３との間に背表紙４を設け、この背表紙４に複数ページからなる書籍本体５を貼着している。
【００２７】
この書籍１は、表紙２に指輪などの立体的な物品（立体物６）を書籍１の外部から目視できるように収容している。
【００２８】
この表紙２は、図２〜図４に示すように、略矩形板状の紙製の表側シート７と裏側シート８との間にこれらの表側シート７及び裏側シート８と略同一サイズの略矩形板状のビニール製の中間シート９を貼り付けている。
【００２９】
このように、中間シート９を表側シート７及び裏側シート８と同一サイズとして表側シート７及び裏側シート８の全面に貼着することによって、表側シート７と裏側シート８とで中間シート９を強固に保持して、中間シート９が表側シート７や裏側シート８から剥離してしまうのを防止している。
【００３０】
また、表紙２は、表側シート７及び裏側シート８の略中央上部の対応する位置に円形状の貫通孔10,11をそれぞれ形成している。
【００３１】
ここで、表側シート７は、裏側シート８よりも厚みを薄くしている。
【００３２】
また、中間シート９は、透明状の可撓性（伸縮性）を有する素材としている。なお、中間シート９としては、無色透明のものに限られず、有色透明なものや半透明なものも利用することができる。
【００３３】
また、裏側シート８は、貫通孔11の裏側に略矩形板状のプラスチック製のカバーシート12を貫通孔11を被覆するように覆設している。このカバーシート12は、裏側シート８の裏面に形成した４箇所の円形状の凹部13に嵌入するボス14を四隅に形成しており、このボス14を凹部13に挿脱させることで、裏側シート８の裏面に着脱自在に取付けられている。
【００３４】
このように、カバーシート12を裏側シート８に着脱自在に取付けることによって、収容した立体物６を容易に交換することができる。
【００３５】
そして、図４に示すように、中間シート９の裏面とカバーシート12の表面との間に立体物６を挟んだ状態でカバーシート12を裏側シート８の裏面に装着することによって、表紙２の中間シート９とカバーシート12との間に立体物６を収容することができる。
【００３６】
その際に、透明状の中間シート９が可撓性を有しているために、中間シート９とカバーシート12との間に収容した立体物６の形状に沿って中間シート９が変形して、立体物６とともに中間シート９が前方に突出する。これによって、外部から内部の立体物６を目視する者に対して立体感を感じさせることができる。
【００３７】
また、中間シート９で立体物６の表面を被覆しているために、立体物６の表面の損傷を防止することができる。
【００３８】
特に、裏側シート８の厚みを表側シート７の厚みよりも厚くすることによって、中間シート９とカバーシート12との間に立体物６を収容したときに表側シート７の表面からの突出量を少なくすることができる。
【図面の簡単な説明】
【００３９】
【図１】本発明に係る書籍を示す斜視図。
【図２】表紙を示す正面図。
【図３】同背面図。
【図４】同断面図。
【符号の説明】
【００４０】
１  書籍
２  表紙
３  裏表紙
４  背表紙
５  書籍本体
６  立体物
７  表側シート
８  裏側シート
９  中間シート
10,11  貫通孔
12  カバーシート
13  凹部
14  ボス
【図１】
2006051630.tif 000003
【図２】
2006051630.tif 000004
【図３】
2006051630.tif 000005
【図４】
2006051630.tif 000006